(57)【特許請求の範囲】
【請求項１】
（ａ）床面に埋設され、上面に溝および該溝の一端に連通する凹部が形成され、前記溝が凹部に対してドアの閉位置側に位置するケーシングと、
（ｂ）前記溝の内部に収納され、該溝の他端に揺動自在に連結されたアームと、
（ｃ）該アームの自由端に回転自在に連結された緩衝体と、
（ｄ）磁性体からなり、前記アームの上面に固定されたプレートと、
（ｅ）非磁性体からなり、少なくとも前記ケーシングの溝を覆うカバーと、
（ｆ）前記ドアの下部に固定された磁石と
からなる戸当りであって、
磁性体からなり、前記ケーシングにおいて前記緩衝体に対して前記ドアの閉位置側に配設され、前記ケーシングの上面から外部に露出されたロックプレートをさらに備えてなる戸当り。
【請求項２】
前記ロックプレートの高さを調整するためのネジおよびロックプレートを常時下方向に付勢するためのバネをさらに備えてなる請求項１記載の戸当り。
【請求項３】
前記アームの自由端付近の部分が二股に分かれ、当該二股に分かれた部分に挟まれた空間部内部に位置するように、島部が前記ケーシングの溝の底面に突設され、前記島部の側面には、前記緩衝体の側面に面接触しうる接触面が形成されてなる請求項１または２記載の戸当り。
【発明の詳細な説明】
【０００１】
【発明の属する技術分野】
本発明は戸当りに関する。さらに詳しくは、床の表面下に埋設されており、使用に際し、床面上に緩衝体を突出させることができる戸当りに関する。
【０００２】
【従来の技術】
従来より、図７〜８に示すように、ドア５０の開閉によりドア５０またはノブ５１が壁またはドア５０周辺の家具やキャビネット５２などに衝突し、これらに損傷が生じるのを防ぐために戸当り５３がドア５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、ドア５０を開放状態にしておくために、前記基部５５内に差し込まれているＵ字状の止め金具５７を引き抜き、ドア５０の側面に設けられた鉤付き座金５８の鉤部５９に係止するようにしている。
【０００５】
【発明が解決しようとする課題】
しかしながら、前記戸当り５３では、常時床５４に立設されているため、前記ドア５０が戸当り５３に固定されていないばあい、歩行中誤って戸当り５３に蹴つまづいてしまう惧れがある。
【０００６】
また、運搬物、たとえばキャビネット５２を移動させる際に、邪魔になるし、誤ってキャビネット５２が戸当り５３に衝突すると、キャビネット５２がへこんだり、戸当り５３が変形する惧れがある。さらに、床掃除をする際に邪魔になっていた。
【０００７】
さらに、従来の戸当り５３は、常時床５４に立設されているため、床５４の上に異物が突出しているように見え、美観上好ましくない。
【０００８】
本発明はかかる問題を解消するためになされたものであり、歩行や運搬物などの移動を安全に行なうことができ、しかもドアの周辺の床面の美観を向上しうる戸当りを提供することを目的とする。
【０００９】
【課題を解決するための手段】
本発明の戸当りは、（ａ）床面に埋設され、上面に溝および該溝の一端に連通する凹部が形成され、前記溝が凹部に対してドアの閉位置側に位置するケーシングと、
（ｂ）前記溝の内部に収納され、該溝の他端に揺動自在に連結されたアームと、
（ｃ）該アームの自由端に回転自在に連結された緩衝体と、
（ｄ）磁性体からなり、前記アームの上面に固定されたプレートと、
（ｅ）非磁性体からなり、少なくとも前記ケーシングの溝を覆うカバーと、
（ｆ）前記ドアの下部に固定された磁石と
からなる戸当りであって、
磁性体からなり、前記ケーシングにおいて前記緩衝体に対して前記ドアの閉位置側に配設され、前記ケーシングの上面から外部に露出されたロックプレートをさらに備えてなることを特徴としている。
【００１１】
前記ロックプレートの高さを調整するためのネジおよびロックプレートを常時下方向に付勢するためのバネをさらに備えてなるのが好ましい。
【００１２】
前記アームの自由端付近の部分が二股に分かれ、当該二股に分かれた部分に挟まれた空間部内部に位置するように、島部が前記ケーシングの溝の底面に突設され、前記島部の側面には、前記緩衝体の側面に面接触しうる接触面が形成されてなるのが好ましい。
【００１３】
【発明の実施の形態】
つぎに図面を参照しながら本発明の戸当りを詳細に説明する。図１は本発明の戸当りの一実施の形態を示す斜視説明図、図２は図１のケーシングの内部構造を示す要部分解斜視説明図、図３は図１の磁石を下から見た図および図４〜６は図１の戸当りの動作説明図である。
【００１４】
図１〜３に示すように、本発明の一実施の形態にかかわる戸当りは、大きく分けて、床面に埋設される本体部分１と、ドアＤに固着される磁石２とから構成されている。本体部分１は、ケーシング３の上面にカバー４が閉じられたものであり、ケーシング３の内部には、図２に示されるアーム５、緩衝体６および磁性体からなるプレート７が収納されている。
【００１５】
まず、本体部分１について図１〜２を参照しながら説明する。
【００１６】
ケーシング３は、図２に示されるように、たとえば３箇所のネジ孔１８に挿通されるネジ１９（図１参照）により、前記カバー４とともに床に形成される凹所に固定できるようにされている。
【００１７】
ケーシング３は、床面に埋設される箱体であり、上面に溝１０および溝１０の一端１０ａに連通する凹部９が形成されている。溝１０は、凹部９に対してドアＤの閉位置側に位置するように形成されている（図４参照）。
【００１８】
カバー４は、少なくとも前記ケーシング３の溝１０を覆う蓋状部材である。図１のカバー４は、緩衝体６および後述するロックプレート１３を外部に露出するための貫通孔４ａおよび４ｂが形成されている。
【００１９】
カバー４は、磁性体からなるプレート７（図２参照）と磁石２とのあいだの吸引力をドアＤの開閉に支障が出ないように適度に緩和するために、黄銅、アルミニウム、ステンレス、合成樹脂などの非磁性体によって作製されている。
【００２０】
また、カバー４は、磁石２と接触するばあい（たとえば、ドアの長期間の使用により、下方にずれるなど）があるため、その表面をすべりやすいように平滑に加工するとともに周縁部にアールを形成するのが好ましい。
【００２１】
さらに、カバー４は、美観をよくするため、色ツヤの美しい化粧プレートとして作製されるのが好ましい。
【００２２】
アーム５は、前記ケーシング３の溝１０の内部に収納され、溝１０の他端１０ｂに揺動自在に連結されたものである。本実施の形態では、アーム５の固定端５ａには、貫通孔５ｂが形成され、当該貫通孔５ｂには、略円形断面を呈するピン１１が挿通され、ピン１１の両端がケーシング３の両壁面に固着されている。
【００２３】
緩衝体６は、アーム５の自由端５ｃにピン１２によって回転自在に連結されている。緩衝体６は、ゴムまたは合成樹脂などの弾性部材からなるヘッド６ａと、ヘッド６ａと嵌合するヘッドボディー６ｂとから構成されている。また、ピン１２の両端は、ヘッドボディー６ｂの円周面に固着されている。前記アーム５の自由端５ｃには、前記ピン１２が挿通されるように長孔５ｄが形成されている。ピン１２が長孔５ｄの内部でスライドできるため、緩衝体６は、前記アーム５の長手方向の移動が若干許されている。それにより、緩衝体６はケーシング３の凹部９の内部をスムーズに上下移動することができる。
【００２４】
プレート７は、前記磁石２に吸引されることにより、アーム５および緩衝体６を駆動させる部材であり、鉄、スチールなどの磁性体によって作製されている。プレート７は、前記アーム５の上面に接着などにより固定されている。
【００２５】
つぎに磁石２の説明をする。磁石２は、図３に示されるように、ケース２ａの内部に磁石本体２ｂが収納されたものである。ケース２ａの側面には、プレート部２ｃが形成され、プレート部２ｃの両端部にはドアＤにネジ止めするためのネジ孔２ｄが形成され、当該プレート部２ｃの中央部には、前記緩衝体６に衝突するための肉厚の衝突ブロック２ｅが形成されている。磁石２は、ケース２ａがドア下端付近の座ぐりによって形成された穴に埋設され、プレート部２ｃは、ドアの外面に固定される。なお、磁石本体２ｂが収納されたケース２ａをドアの外面に突設するようにしてもよい。
【００２６】
磁石本体２ｂは、合成樹脂製ケース２ｆによって保護され、ネジ２ｇによって固定されている。ネジ２ｇを時計方向または反時計方向に回転させることにより、前記ケース２ａから磁石本体２ｂおよび合成樹脂製ケース２ｆを出没させることができる。それにより、ドアが長期間の使用によって下方にずれても、ネジ２ｇを調整することにより、前記アーム５および緩衝体６の駆動に最適な磁石本体２ｂとカバー４との距離を調整することができる。また、ネジ２ｇの頭部付近が貫通するケース２ａの孔をネジ径より若干大きくすることによって、上下方向だけでなく磁石が横方向にも多少移動することができ、確実にプレート７と反応することができる。すなわち、多少の遊びをもつようにネジ２ｇを取り付けることにより、ドア下端面が床面と平行でないばあいでも、磁石をプレートに吸着させることができる。
【００２７】
なお、本発明では、図３に示される磁石を例にあげて説明したが、本発明はこれに限定されるものではなく、ドアの下端付近（下面など）に固定でき、本体部分１のプレート７に磁力を作用させることができるものであれば、種々のものを採用することができる。したがって、ドアの下端付近に電磁石や永久磁石などを配設してもよい。
【００２８】
また、本実施の形態では、図１〜２に示されるように、ドアを開位置にロックするためのロックプレート１３が設けられている。ロックプレート１３は、鉄、スチールなどの磁性体からなり、前記ケーシング３において前記緩衝体６に対して前記ドアＤの閉位置側に配設され（図１参照）、前記ケーシング３の上面から、カバー４の貫通孔４ｂを通して外部に露出されている。
【００２９】
ロックプレート１３には、図２に示されるように、ロックプレート１３の上面の高さを調整するためのネジ１４およびロックプレート１３を常時下方向に付勢するためのバネ１５をさらに備えている。ネジ１４は、ロックプレート１３の下面に突設されたネジ受け部１３ａ（内部にネジ穴が形成されている）に下からねじ込まれている。バネ１５の上端１５ａは、ケーシング３の底面の挿入孔３ａの奥端面３ｂ（図４参照）に当接し、バネ１５の下端１５ｂはワッシャ１６を介してネジ１４の頭部を下方に押圧している。ネジ１４の弾性力によって、ロックプレート１３は常時下方向に付勢されるため、床面から突出することがない。
【００３０】
さらに、図２に示されるように、アーム５の自由端５ｃ付近の部分が二股に分かれ、二股に分かれた部分に挟まれた空間部５ｅ内部に位置するように、島部１７がケーシング３の溝１０の底面に突設されている。島部１７の側面には、緩衝体６の側面（具体的には、ヘッドボディー６ｂの側面のうち一対のスリット６ｃに挟まれた部分６ｄ）に面接触しうる接触面１７ａが形成されている。そのため、緩衝体６に勢いよくドアが衝突したばあいに、緩衝体６の部分６ｄと島部１７の接触面１７ａとのあいだで面接触するため、緩衝体６およびアーム５などの損傷を防止することができる。
【００３１】
つぎに図１〜３に示される本実施の形態の戸当りの動作説明を説明する。
【００３２】
図４に示されるように、まず、設置方法として、本体部分１を床面Ｆの全開位置付近に埋設し、磁石２をドアＤの下面に埋設する。このとき、緩衝体６が収納された凹部９をほぼ全開位置に配置し、プレート７が収納された溝１０をドアＤの閉位置側に配置するようにする。
【００３３】
図４に示されるように、ドアＤが開方向に移動するあいだ、全開位置付近よりも遠いときには、磁石２とプレート７とのあいだの距離が大きいため、プレート７は吸引されず、アーム５および緩衝体６は動かない。
【００３４】
図５に示されるように、ドアＤが全開位置付近にきたとき、磁石２とプレート７とのあいだの距離が小さくなるため、プレート７は磁石２（具体的には磁石本体２ｂ）に吸引され、アーム５および緩衝体６は上方に移動する。それにより、緩衝体６のヘッド６ａは床面Ｆから上方に突出する。
【００３５】
そして、図６に示されるように、ドアＤが全開位置に達したとき（具体的には磁石２の衝突ブロック２ｅがヘッド６ａに衝突したとき）には、磁石本体２ｂは、外部に露出する磁性体からなるロックプレート１３に吸着される。そのため、ドアＤは全開状態でロックされる。
【００３６】
反対に、ドアＤを全開状態から閉じたいときには、前記磁石本体２ｂとロックプレート１３とのあいだの吸引力に抗して少し強めにドアＤを閉方向に移動させれば、容易にロックを解除してドアＤを閉めることができる。そして、ドアＤが図４に示される位置付近まで戻れば、プレート７に対する吸引力は弱まり、緩衝体６のヘッド６ａは自重落下によりケーシング３に収納される。
【００３７】
【発明の効果】
以上説明したとおり、本発明によれば、床面下に埋設し、緩衝体をケーシング内から突出させたり、ケーシング内に収納させたりすることができる。その結果、使用しないばあいには、床面とほぼ面一にできるため、歩行やキャビネットなど運搬物の移動を安定に行なうことができる。
【００３８】
しかも、ドアを全開にしていないときには、緩衝体は本体部分に収納されているため、ドア周辺の床面は平坦であり、美観を向上することができる。さらに、床面のフラット感を生かした玄関周りのエクステリア設計が可能になる。
【図面の簡単な説明】
【図１】本発明の戸当りの一実施の形態を示す斜視説明図である。
【図２】図１のケーシングの内部構造を示す要部分解斜視説明図である。
【図３】図１の磁石を下から見た図である。
【図４】図１の戸当りの動作説明図である。
【図５】図１の戸当りの動作説明図である。
【図６】図１の戸当りの動作説明図である。
【図７】従来のドアの固定状態を示す説明図である。
【図８】従来の戸当りを示す説明図である。
【符号の説明】
１  本体部分
２  磁石
３  ケーシング
４  カバー
５  アーム
６  緩衝体
７  プレート
【図１】
0003947300.tif 000002
【図２】
0003947300.tif 000003
【図３】
0003947300.tif 000004
【図４】
0003947300.tif 000005
【図５】
0003947300.tif 000006
【図６】
0003947300.tif 000007
【図７】
0003947300.tif 000008
【図８】
0003947300.tif 000009